(57)【要約】【課題】デジタルカメラで撮影した映像の簡易・迅速かつ経済的なプリントを実現すると共に、複数毎の連続プリントをより効率の良いものとする。【解決手段】本デジタルカメラは、デジタル画像データを記憶するフラッシュＲＯＭ５と、このデジタル画像データの中から表示すべき映像に係るデータを選択する操作ＳＷ１２と、この選択されたデータに係る映像を表示するＬＣＤ７と、デジタル画像データをプリンタ１０１に対して出力する通信ドライバ１１と、上記プリンタ１０１との接続の初期動作において、固有コードを認識して上記操作ＳＷ１２による入力を許可し、上記フラッシュＲＯＭ５に記憶されたデジタル画像データのうち上記操作ＳＷ１２の操作により選択されたデータに係る映像を上記ＬＣＤ７に表示させると共に、プリンタ１０１の命令に応じて出力するよう制御するＣＰＵ４を有する。【選択図】図１
2006304339.tif 000002
【特許請求の範囲】
【請求項１】
デジタルカメラとプリンタとの直接通信により上記デジタルカメラで撮影した画像を上記プリンタで印刷するデジタルプリントシステムであって、
上記デジタルカメラは、
所望とする映像を電気的に撮像し、得られた映像信号をデジタル画像データに変換する撮像変換手段と、
上記デジタル画像データを記憶する記憶手段と、
情報を表示するためのディスプレーと、
上記記憶手段に記憶されたデジタル画像データに所定処理を施すと共に、当該デジタルカメラの全体の制御を司る第１の制御手段と、
使用者の操作を入力する第１の操作手段と、
上記第１の操作手段による操作の入力を受けて、上記記憶手段に記憶されたデジタル画像データの中から表示すべき映像に係る映像を選択する選択手段と、
デジタル画像データに係る映像を上記第１の制御手段により所定処理を施して上記ディスプレーに表示するための表示画像データを生成する表示画像生成手段と、
上記選択手段により選択されたデジタル画像データの表示画像データを上記ディスプレーに表示する表示手段と、
上記記憶手段に記憶されたデジタル画像データを外部機器に対して出力すると共に、上記外部機器が出力したデータを入力する第１の通信手段と、
上記第１の通信手段に上記外部機器が接続されたとき、接続された外部機器からその外部機器に固有な固有コードを入力するコード入力手段と、
上記コード入力手段により入力した上記固有コードに応じて上記第１の操作手段による上記操作の入力の禁止又は許可を制御する操作制御手段と、
を有し、
上記操作制御手段は、上記外部機器が上記第１の通信手段に接続された状態において、上記第１の操作手段による操作の入力を禁止又は許可し、
上記第１の制御手段は、上記選択手段で選択されたデジタル画像データを、上記外部機器の命令に応じて、上記第１の通信手段により上記外部機器に出力することを特徴とするデジタルカメラシステム。
【請求項２】
上記デジタルカメラは、上記第１の操作手段により、上記ディスプレーに表示されたデジタル画像データの中から所望とするものを選択して指標を付加する指標付加手段を更に有し、
上記第１の制御手段は、上記記憶手段に記憶されたデジタル画像データのうち、上記指標付加手段により上記指標が付加されたデジタル画像データのみを、上記第１の通信手段を介して、上記プリンタからの出力要求信号に応じて順次出力することを特徴とする請求項１に記載のデジタルカメラシステム。
【請求項３】
上記デジタルカメラは、上記指標付加手段により指標が付加された画像データの表示画像データが上記ディスプレーに表示されるときには、指標が付加されたことを示す指標マークを上記表示画像データと共に表示することを特徴とする請求項２に記載のデジタルカメラシステム。
【請求項４】
上記プリンタは、
上記デジタルカメラとデータを送受信する第２の通信手段と、
上記第２の通信手段を介して入力されたデジタル画像データを印刷用のデータに変換すると共に、当該プリンタの全体の制御を司る第２の制御手段と、
上記印刷を指示するための第２の操作手段と、
上記第２の操作手段による上記印刷の指示に伴って、上記第２の制御手段により変換された印刷用のデータに基づいた印刷を行う印刷手段と、
上記印刷手段による印刷のための紙を順次給紙するための給紙手段と、
上記印刷手段により印刷された紙を搬送する搬送手段と、
を有し、
上記第２の制御手段は、上記第２の操作手段の指示に同期して、上記デジタルカメラに対して上記指標が付加されたデジタル画像データを印刷単位で順次出力することを要求する出力要求信号を、上記第２の通信手段を介して上記デジタルカメラに出力することを特徴とする請求項２又は３に記載のデジタルカメラシステム。
【請求項５】
上記プリンタは、上記入力されたデジタル画像データに対する印刷が終了したときには、印刷終了信号を上記第２の通信手段を介して上記デジタルカメラに出力し、
上記デジタルカメラは、上記第１の通信手段を介して上記プリンタから上記印刷終了信号が入力されたときに、上記指標付加手段により指標が付加され、未だ印刷されていないデジタル画像データがある場合には、そのデジタル画像データを上記記憶手段から読み出して上記第１の通信手段を介して上記プリンタに出力することを特徴とする請求項４に記載のデジタルカメラシステム。
【請求項６】
上記デジタルカメラにおいて、
上記コード入力手段は、上記第１の通信手段に外部機器が接続されたとき、その接続された外部機器から、その外部機器に固有の固有コードを入力すると共に、上記第１の操作手段による入力を禁止又は許可するための操作制御データを入力し、
上記操作制御手段は、上記操作制御データに基づいて上記第１の操作手段による入力の禁止又は許可を制御することを特徴とする請求項１乃至３の何れか１つに記載のデジタルカメラシステム。
【発明の詳細な説明】
【技術分野】
【０００１】
本発明は、所望とする映像を撮影してデジタル画像データとして記憶するデジタルカメラと、当該デジタル画像データに基づき印刷をするデジタルプリンタとからなるデジタルカメラシステムに係り、上記デジタルカメラからデジタルプリンタに対して直接的に画像データを出力して印刷を行わせることを実現するデジタルカメラシステムに関する。
【背景技術】
【０００２】
近年、フィルムの代わりに固体撮像素子(CCD; Charge Coupled Device) を使用して映像を記録するデジタルカメラに関する種々の技術が提案されている。このデジタルカメラでは、撮影した映像が、内蔵メモリ（フラッシュメモリ等）やハードディスク、メモリカードにデジタルデータとして記録される。かかるカメラにより撮影する場合、銀塩フィルムのような現像処理を必要とせず、シャッタを切った直後から撮影した映像を即時に活用できる。さらには、オートホワイトバランス機構のあるデジタルカメラでは、光源の種類に関わらず人間の目の感覚に近い自然な色再現が得られるといった特徴もある。
【０００３】
上記デジタルカメラにより撮影された映像は、前述したようにメモリカードやハードディスク、内蔵メモリにデジタルデータとして記録されているので、ＬＣＤ表示上で撮影像を確認できる機種はあるものの、撮影者が実際にプリントを得ることを望む場合には、例えばパーソナルコンピュータのモニタ画面に写し出し、カラーデジタルプリンタで印刷することが必要となる。
【０００４】
このカラーデジタルプリンタで印刷する場合、上述したように従来の銀塩写真の暗室での現像作業が不要となるばかりでなく、より迅速にプリントを得ることができるといった利益が生じる。更に、パソコン等の情報機器に上記デジタルデータを入力すれば、拡大／縮小をはじめとする種々の編集が可能となり、よりユーザーのニーズに合ったプリントを得ることができることになる。
【０００５】
さらに、上記デジタルカメラ及びカラーデジタルプリンタの組み合わせによるシステムは、デジタルカメラで撮影した画像を即時に確認できること、及び比較的低価格で実現できることから、その評価が高まっている。
【特許文献１】特開平６−３５１０１２号公報
【発明の開示】
【発明が解決しようとする課題】
【０００６】
しかしながら、上記デジタルカメラで得られたデジタル画像データに基づき一般の人がデジタルプリンタによる印刷をする際には、以下の問題が生じていた。即ち、上記デジタルカメラで得られたデジタル画像データは、先ずパソコンなどの情報機器に取り込んでから、当該パソコンのアプリケーションソフトウェアを使用して所定処理をした後に、デジタルプリンタで印刷する必要があるため、撮影した画像を編集することなく、撮影したままの状態で印刷することを望む場合であっても、上記情報機器の煩雑な操作を伴い、時間がかかっていた。
【０００７】
更に、一般的に、カラーデジタルプリンタは印刷時間が非常に長く、また複数の画像を連続して印刷する場合においては、操作者は各画像毎に各種の操作を強要され、操作に時間と手間がかかっていた。
【０００８】
本発明は上記問題に鑑みてなされたもので、その目的とするところは、撮影した映像について、簡易・迅速かつ経済的なプリントを実現すると共に、複数毎の連続プリントをより効率の良いものとするデジタルカメラシステムを提供することにある。
【課題を解決するための手段】
【０００９】
上記目的を達成するために、本発明のデジタルカメラシステムは、デジタルカメラとプリンタとの直接通信により上記デジタルカメラで撮影した画像を上記プリンタで印刷するデジタルプリントシステムであって、上記デジタルカメラは、所望とする映像を電気的に撮像し、得られた映像信号をデジタル画像データに変換する撮像変換手段と、上記デジタル画像データを記憶する記憶手段と、情報を表示するためのディスプレーと、上記記憶手段に記憶されたデジタル画像データに所定処理を施すと共に、当該デジタルカメラの全体の制御を司る第１の制御手段と、使用者の操作を入力する第１の操作手段と、上記第１の操作手段による操作の入力を受けて、上記記憶手段に記憶されたデジタル画像データの中から表示すべき映像に係る映像を選択する選択手段と、デジタル画像データに係る映像を上記第１の制御手段により所定処理を施して上記ディスプレーに表示するための表示画像データを生成する表示画像生成手段と、上記選択手段により選択されたデジタル画像データの表示画像データを上記ディスプレーに表示する表示手段と、上記記憶手段に記憶されたデジタル画像データを外部機器に対して出力すると共に、上記外部機器が出力したデータを入力する第１の通信手段と、上記第１の通信手段に上記外部機器が接続されたとき、接続された外部機器からその外部機器に固有な固有コードを入力するコード入力手段と、上記コード入力手段により入力した上記固有コードに応じて上記第１の操作手段による上記操作の入力の禁止又は許可を制御する操作制御手段とを有し、上記操作制御手段は、上記外部機器が上記第１の通信手段に接続された状態において、上記第１の操作手段による操作の入力を禁止又は許可し、上記第１の制御手段は、上記選択手段で選択されたデジタル画像データを、上記外部機器の命令に応じて、上記第１の通信手段により上記外部機器に出力することを特徴とする。
【００１０】
このような構成の本発明のデジタルカメラシステムは以下の作用を奏する。即ち、本発明のデジタルカメラシステムでは、デジタルカメラの撮像変換手段により、所望とする映像が電気的に撮像され、得られた映像信号がデジタル画像データに変換され、記憶手段に上記デジタル画像データが記憶され、ディスプレーに情報が表示され、第１の制御手段により、上記記憶手段に記憶されたデジタル画像データに所定処理が施されると共に、当該デジタルカメラの全体の制御が司られ、第１の操作手段により使用者の操作が入力され、上記第１の操作手段による操作の入力を受けて、選択手段により、上記記憶手段に記憶されたデジタル画像データの中から表示すべき映像に係る映像が選択され、表示画像生成手段により、デジタル画像データに係る映像を上記第１の制御手段により所定処理を施して上記ディスプレーに表示するための表示画像データが生成され、表示手段により、上記選択手段により選択されたデジタル画像データの表示画像データが表示され、第１の通信手段により、上記記憶手段に記憶されたデジタル画像データが外部機器に対して出力されると共に、上記外部機器が出力したデータが入力され、コード入力手段により、上記第１の通信手段に上記外部機器が接続されたとき、接続された外部機器からその外部機器に固有な固有コードが入力され、操作制御手段により、上記コード入力手段により入力した上記固有コードに応じて上記第１の操作手段による上記操作の入力の禁止又は許可が制御される。そして、上記操作制御手段は、上記外部機器が上記第１の通信手段に接続された状態において、上記第１の操作手段による操作の入力を禁止又は許可し、上記第１の制御手段は、上記選択手段で選択されたデジタル画像データを、上記外部機器の命令に応じて、上記第１の通信手段により上記外部機器に出力する。
【発明の効果】
【００１１】
本発明によれば、デジタルカメラで撮影した映像について、簡易・迅速かつ経済的なプリントを実現すると共に、複数毎の連続プリントをより効率の良いものとするデジタルカメラシステムを提供することができる。
【発明を実施するための最良の形態】
【００１２】
以下、図面を参照して、本発明の実施の形態について説明する。図１は第１の実施の形態に係るデジタルカメラ及びデジタルプリンタの構成を示す図である。デジタルカメラ１００側では、ＣＣＤ１の出力は、アナログ／デジタル（Ａ／Ｄ）変換回路２、ＲＡＭ(Random Access Memory)３を介してＣＰＵ(Central Processing Unit)４の入力に接続されている。このＣＣＤ１は、ＣＣＤドライバ１０により駆動制御される。さらに、上記ＣＣＤとしては、ラインＣＣＤとエリアＣＣＤのいずれも適用することができる。このラインＣＣＤを採用する場合には、ＣＣＤを結像面を水平移動しながら撮影を行うことになる。これに対して、エリアＣＣＤを採用する場合には、ＣＣＤセンサが縦横のマトリックス状に並んでいるので、画面全体を一度に撮影できることになる。
【００１３】
上記ＣＰＵ４の入力には、更にフラッシュＲＯＭ５、各種操作スイッチ１２、電源８がそれぞれ接続されている。この例では、記録媒体たるフラッシュＲＯＭ５はカメラに内蔵されていることを想定しているが、メモリカードのように着脱自在のものを使用することもできることは勿論である。また、上記操作スイッチは、ＬＣＤ７の表示を指示するための再生モードスイッチ１２ａと、表示すべきコマを前後させるためのスイッチ１２ｂ，１２ｃからなる。これらは、図４に示されるように、例えばカメラ１００の背面のＬＣＤ７の近くに配設することができるが、これに限定されるものではない。但し、実際にＬＣＤ表示を見ながら操作者が操作することを考えると、この位置は適切であるといえよう。
【００１４】
上記ＣＰＵ４の出力は、ＶＲＡＭ６を介してＬＣＤ７の入力に接続されると共に、電源コントロール部９、通信ドライバ１１の入力にも接続されている。上記ＬＣＤ７は、バックライト駆動回路７ｂを有しており、更に図４に示されるように、カメラ１００の背面の所定位置に配設される。上記通信ドライバ１１は、図３に示されるように、デジタルプリンタ１０１側の通信ドライバ１３と通信ケーブル２０を介して接続された際にシリアル通信を実現するためのものである。
【００１５】
さらに、上記電源コントロール部９は、電源８の電圧を、ＣＰＵ４の制御の下で、所定のタイミングをもってＬＣＤ７、ＣＣＤドライバ１０、通信ドライバ１１に供給するためのものである。この電源８としては、例えば単三アルカリ電池やリチウム電池といった汎用タイプのバッテリと、充電式のカートリッジ式のバッテリなどを使用することができる。
【００１６】
一方、デジタルプリンタ１０１側では、上記デジタルカメラ１００側の通信ドライバ１１と通信ドライバ１３が通信ケーブル２０を介して相互に接続され、当該通信ドライバ１３の出力がＣＰＵ１４の入力に接続されている。このＣＰＵ１４の出力は、紙搬送部１８の入力に接続されると共に、バッファメモリ１５、ドライバ１６を介してプリントヘッド１７に接続されている。さらに、このＣＰＵ１４には、例えば図３に示される位置に配置された、操作者がプリントを指示するためのプリントＳＷ１９が接続されている。
【００１７】
尚、上記通信ドライバ１１、１３は、上記のように通信ケーブルで接続されることの他、赤外線や無線等の公知の通信手段により通信自在とすることもできることは勿論である。また、上記構成のデジタルプリンタ１０１のプリント方式としては、昇華型サーマル方式等を採用できる。
【００１８】
このような構成において、映像はＣＣＤ１により撮影され、アナログ信号が後段のＡ／Ｄ変換回路２に入力される。このアナログ信号は、Ａ／Ｄ変換回路２によりデジタル信号に変換された後、ＲＡＭ３に一時的に記憶される。そして、このＲＡＭ３に記憶されたデータは、ＣＰＵ４により読み出され、その内部の演算部により色変換や圧縮といった各種処理が施される。そして、この各種処理が施されたデータは、フラッシュＲＯＭ５に順次記憶される。
【００１９】
この状態で、操作者により再生モードスイッチ１２ａが操作されると、これに同期して、ＣＰＵ４の制御により、フラッシュＲＯＭ５に記憶されている画像データが読み出され、ＣＰＵ４の内部の演算部により、当該画像データにＬＣＤ表示に必要な各種処理が施された後、ＶＲＡＭ６に表示用データとして書き込まれる。このとき、ＶＲＡＭ６に表示データを書き込む動作に同期して、ＣＰＵ４の制御により、ＬＣＤ７の駆動回路及びその中に含まれるバックライト駆動回路７ｂに電源コントロール部９を介して電源８の電圧が供給される。これにより、ＬＣＤ７に上記デジタル画像データに係る映像が表示される。
【００２０】
続いて、操作者により表示コマ選択用のスイッチ１２ｂ，１２ｃが操作されると、その操作に基づいて、フラッシュＲＯＭ５に記憶されたデジタル画像データの選択が行われ、前述した処理を経て、この選択されたデジタル画像データに係る映像がＬＣＤ７上に表示される。従って、操作者は上記スイッチ１２ｂ，１２ｃを適宜操作することにより、所望とする撮影コマの映像を上記ＬＣＤ７上に表示することができる。
【００２１】
上記カメラ１００とデジタルプリンタ１０１が、通信ケーブル又は赤外線や無線等の公知の通信手段により接続されると、カメラ１００とデジタルプリンタ１０１の間で通信が行われる。かかる通信では、先ず、互いに「固有コード」を交換することにより、カメラ１００側では通信相手がデジタルプリンタ１０１であること、及びデジタルプリンタ１０１側では通信相手がカメラ１００であることが各ＣＰＵ４，１４により認識される。
【００２２】
上記カメラ１００側のＣＰＵ４は、通信相手としてパソコンのような高等な処理機能を有する相手の認識コードを受信すると、カメラの操作ＳＷ１２等の入力を禁止する。これに対して、デジタルプリンタ１０１のような処理機能を持たない機器の認識コードを受信すると、少なくともカメラ側の画像データを選択するための操作ＳＷ１２等の入力を許可する。或いは、通信相手が認識コードと共に相互の操作ＳＷ１２等のＣＰＵ４への入力受付けを禁止／許可するためのデータを交換する。これにより、デジタルプリンタ１０１と接続された状態においては、カメラ１００の画像データ選択のための操作ＳＷ１２等のＣＰＵ４への入力が許可される。かかる動作は、図示されていないが、ＣＰＵ４内の命令コードとして記述される。これにより、デジタルカメラ１００からデジタルプリンタ１０１へのデータの転送が容易になる。
【００２３】
このような状態で、デジタルプリンタ１０１のプリントスイッチ１９（図３参照）が操作されると、デジタルプリンタ側のＣＰＵ１４が、通信ケーブル２０を介して、カメラ１００に対して「印刷データ要求命令」を送信する。
【００２４】
カメラ１００のＣＰＵ４は、この印刷データ要求命令を受けると、現在ＬＣＤ７上で表示している画像データに対応したデータを再度フラッシュＲＯＭ５から読み込んで、デジタルプリントに必要な処理を施した後、通信ドライバ１１を介してデジタルプリンタ１０１に送出する。そして、ＬＣＤ７の表示を消すことにより、印刷中の電力消費の軽減を図る。尚、デジタルプリンタによる印刷の終了に伴って、再び同じ映像を表示するように制御することもできる。
【００２５】
一方、デジタルプリンタ１０１側のＣＰＵ１４は、上記カメラ１００から画像データを受けると、例えば圧縮されたデータであれば伸長し、色変換が必要であれば色情報を変換する等といったプリントに必要な処理を施した後、デジタルプリンタ内のバッファメモリ１５に書き込む。こうしてバッファメモリ１５に必要なデータが書き込まれると、データは順次ドライバ１６に送られ、プリントヘッド１７により紙に対して印刷が実行される。こうして所望とする画像の印刷動作を終了すると、ＣＰＵ１４により、印刷が終了した旨を示す「印刷終了信号」がカメラ１００側のＣＰＵ４に向けて送信される。この信号により、カメラ１００側のＣＰＵ４は、印刷終了を認識することができる。
【００２６】
以上説明したように、第１の実施の形態に係るデジタルカメラ及びデジタルプリンタによれば、印刷中はＬＣＤ７の映像表示を消すことにより、印刷中の電力消費の軽減を図り、経済的なプリントシステムを実現することができる。
【００２７】
次に図２には、第２の実施の形態として、複数毎の印刷を連続して実行するデジタルカメラ及びデジタルプリンタの構成を示して説明する。同図に示されるように、本実施の形態は、図１に示したカメラ１００にマーキング用のスイッチ１２ｄを更に設け（配設位置については上記図４参照）、デジタルプリンタ１０１に給紙部２１を更に設けた構成となっている。その他の構成要素については、上記第１の実施の形態と同一内容である為、同一符号を付し、ここでは詳細な説明を省略する。
【００２８】
このような構成において、映像はＣＣＤ１により撮影され、後段のＡ／Ｄ変換回路２によりデジタル信号に変換される。このデジタル化された画像データは、ＲＡＭ３内に一時的に記憶された後、ＣＰＵ４により色変換・圧縮等の処理が施されてフラッシュＲＯＭ５に複数の画像データとして記憶される。
【００２９】
かかる状態で、操作者により再生モードスイッチ１２ａが操作されると、ＣＰＵ４の制御により、フラッシュＲＯＭ５に記憶された画像データが読み出され、ＬＣＤ表示に必要な所定の処理が施された後に、ＶＲＡＭ６に表示データとして順次書き込まれる。このＶＲＡＭ６に表示データを書き込むと同時に、ＣＰＵ４の制御により、ＬＣＤ７の駆動回路及びその中に含まれるバックライト駆動回路７ｂに、電源コントロール部９を介して電源８の電圧が供給され、ＬＣＤ７上に映像が表示される。
【００３０】
その後、表示コマ選択用のスイッチ１２ｂ，１２ｃが操作されると、ＣＰＵ４の制御により、フラッシュＲＯＭ５内に記憶されたデジタル画像データの選択が行われ、上記処理を経て、操作者によって選択されたデジタル画像データがＬＣＤ７上に確認のために表示される。
【００３１】
このようにＬＣＤ７上に画像が表示された状態で、マーキング用の操作スイッチ１２ｄが操作されると、フラッシュＲＯＭ５内の画像データに対して選択されたことを示すマーキングデータ（指標）が付加される。この実施の形態では、カメラ１００側で記憶された画像データのうち印刷を希望する画像だけにマーキングデータを付加するものとする。このように、画像データにマーキングデータが付加されていれば、表示用ＬＣＤ７の表示画面上に画像と重ねて、選択されたコマである旨を示す指標を表示することも可能である。
【００３２】
かかる状態で、デジタルプリンタ１０１側のプリントスイッチ１９が操作されると、デジタルプリンタ１０１側のＣＰＵ１４が通信ケーブル２０を通じてカメラに対して印刷データ要求命令を送出する。カメラのＣＰＵ４は、この印刷データ要求命令を受けると、マーキングデータが付加されている画像データをフラッシュＲＯＭ５中から探して、当該フラッシュＲＯＭ５から読み込んで、印刷に必要な処理を施した後、通信ドライバ１１を介してデジタルプリンタ１０１側に送出する。
【００３３】
一方、上記デジタルプリンタ１０１のＣＰＵ１４は、カメラ１００から画像データが受信されると、圧縮されたデータであれば伸長して、色変換が必要であれば色情報を変換するなどといったプリントに必要な処理を施した後、デジタルプリンタ１０１内のバッファメモリ１５に書き込む。この動作と平行して、ＣＰＵ１４の制御の下、給紙部２１は印刷用紙を印刷開始位置に設定するための給紙動作を行う。こうしてバッファメモリ１５に必要なデータが書き込まれると、データは順次ドライバ１６に送られ、プリントヘッド１７から紙に対して印刷が実行されると同時に紙搬送部１８により必要な紙送り動作が行われる。
【００３４】
そして、１コマ分の印刷が終了すると、デジタルプリンタのＣＰＵ１４は印刷終了を示す印刷終了コマンドをカメラ１００に対して送出する。これと同時に、紙搬送部１８が印刷終了した印刷用紙を排紙した後、給紙部２１は新たな印刷用紙を給紙するための給紙動作を行う。
【００３５】
カメラ１００内では、ＣＰＵ１４が上記印刷終了コマンドを受けると、マーキングデータが付加されている画像データが未だ残っていれば、次のマーキングされた画像データをフラッシュＲＯＭ５から探し出して、上述した動作と同様の動作を行う。このように、本実施の形態では、マーキングされた画像データが残っている限り、印刷動作が繰り返されることになる。
【００３６】
以上説明したように、第２の実施の形態に係るデジタルカメラ及びデジタルプリンタによれば、複数枚の印刷をする場合において、撮影した複数の撮影コマのうちから操作者が所望とするコマをスイッチ操作により選択するだけで、自動的にデジタルプリンタが当該コマの映像を印刷するので、印刷に関する操作が簡略化される。
【００３７】
また、上記第１及び第２の実施の形態は、共にパソコンなどの特段の情報機器を用いなくても、カメラとデジタルプリンタを直接的に接続して簡単な操作をするだけで必要な撮影コマの印刷画が得られるといった特徴を有する。
【００３８】
以上、本発明の実施の形態について説明したが、本発明はこれに限定されることなく、その趣旨を逸脱しない範囲で種々の改良・変更が可能であることは勿論である。例えば、上記の説明では、実際に即してデータの処理をＣＰＵによって行われるように記述してあるが、ゲートアレイのような論理回路を用いても同様の効果を得られることは勿論である。また、上記第１及び第２の実施の形態の各機能を適宜組み合わせて使用することもできる。
【００３９】
尚、本発明の上記実施の態様には以下の発明が含まれる。  
（１） 所望とする映像を電気的に撮像し、得られた映像信号をデジタル画像データに変換する撮像変換手段と、上記デジタル画像データを記憶する記憶手段と、上記記憶手段に記憶されたデジタル画像データに所定処理を施すと共に、全体の制御を司る制御手段と、上記記憶手段に記憶されたデジタル画像データの中から、表示すべき映像に係るデジタル画像データを選択する選択手段と、上記選択手段により選択されたデジタル画像データに係る映像を上記制御手段により所定処理を施した後に表示する表示手段と、上記記憶手段に記憶されたデジタル画像データを外部機器に対して出力する通信手段と、を有し、上記制御手段は、上記記憶手段に記憶されたデジタル画像データのうち上記選択手段の操作により選択されたデジタル画像データに係る映像を上記表示手段に表示させると共に、この選択されたデジタル画像データを外部機器の命令に応じて当該外部機器に出力することを特徴とするデジタルカメラ。  
（２） 上記制御手段は、更に、上記デジタル画像データの上記外部機器への出力に同期して、上記表示手段への電力供給を中止させることを特徴とする上記（１）に記載のデジタルカメラ。  
（３） 上記処理手段は、更に、上記デジタル画像データの上記外部機器への出力に同期して、上記表示手段への電力供給を中止させ、その後、デジタル画像データの外部機器による出力終了に同期して、上記表示手段に再び電力を供給し、上記映像を再表示させることを特徴とする上記（１）に記載のデジタルカメラ。  
（４） デジタルカメラからのデジタル画像データが入力される入力手段と、上記入力手段より入力されたデジタル画像データを印刷データに変換すると共に、全体の制御を司る制御手段と、上記印刷を指示するための操作手段と、上記操作手段の指示に同期して、上記印刷手段により変換された印刷データに基づいた印刷を行う印刷手段と、上記印刷手段により印刷された紙を搬送する搬送手段と、を有し、上記制御手段は、上記操作手段の操作に同期して、上記デジタルカメラに対して、その時点でデジタルカメラの表示手段に表示されている画像データを出力することを要求する出力要求信号を出力し、印刷動作の終了に同期して、印刷が終了した旨を示す印刷終了信号を出力することを特徴とするデジタルプリンタ。  
（５）所望とする映像を電気的に撮像し、得られた映像信号をデジタル画像データに変換する撮像変換手段と、上記デジタル画像データを記憶する記憶手段と、上記記憶手段に記憶されたデジタル画像データに所定処理を施すと共に、全体の制御を司る制御手段と、上記記憶手段に記憶されたデジタル画像データの中から、表示すべき映像に係るデジタル画像データを選択する選択手段と、上記選択手段により選択されたデジタル画像データに係る映像を上記制御手段により所定処理を施した後に表示する表示手段と、上記表示手段に表示されたデジタル画像データの中から所望とするものを選択し、指標を付加する指標付加手段と、上記記憶手段に記憶されたデジタル画像データを外部機器に対して出力する通信手段と、を有し、上記制御手段は、上記記憶手段に記憶されたデジタル画像データのうち、上記指標付加手段により選択され指標が付加された画像データのみを、上記通信手段を介して、上記外部機器からの命令に応じて順次出力することを特徴とするデジタルカメラ。  
（６）デジタルカメラからのデジタル画像データが入力される入力手段と、上記入力手段より入力されたデジタル画像データを印刷用のデータに変換すると共に、全体の制御を司る制御手段と、上記印刷を指示するための操作手段と、上記操作手段による印刷指示に伴って、上記制御手段により変換された印刷用のデータに基づいた印刷を行う印刷手段と、上記印刷手段による印刷のための紙を順次給紙するための給紙手段と、上記印刷手段により印刷された紙を搬送する搬送手段と、を有し、上記制御手段は、上記操作手段の指示に同期して、上記デジタルカメラに対して、当該デジタルカメラにおいて印刷すべき旨を示す指標が付されたデジタル画像データを、印刷単位で、順次出力することを要求する出力要求信号を出力することを特徴とするデジタルプリンタ。
【図面の簡単な説明】
【００４０】
【図１】本発明の第１の実施の形態に係るデジタルカメラ及びデジタルプリンタの構成を示す図である。
【図２】本発明の第２の実施の形態に係るデジタルカメラ及びデジタルプリンタの構成を示す図である。
【図３】デジタルカメラとデジタルプリンタを通信ケーブルにより接続してプリントを作成している様子を示す図である。
【図４】デジタルカメラの背面に配設されたＬＣＤ７，各種操作スイッチ１２ａ乃至１２ｄの様子を示す図である。
【符号の説明】
【００４１】
１…ＣＣＤ、２…Ａ／Ｄ変換回路、３…ＲＡＭ、４…ＣＰＵ、５…フラッシュＲＯＭ、６…ＶＲＡＭ、７…ＬＣＤ、８…電源、９…電源コントロール部、１０…ＣＣＤドライバ、１１…通信ドライバ、１２…操作スイッチ、１３…通信ドライバ、１４…ＣＰＵ、１５…バッファメモリ、１６…ドライバ、１７…プリントヘッド、１８…紙搬送部、１９…プリントスイッチ、２０…通信ケーブル、２１…給紙部。
【図１】
2006304339.tif 000003
【図２】
2006304339.tif 000004
【図３】
2006304339.tif 000005
【図４】
2006304339.tif 000006